(57)【要約】  追跡対象画像特徴（２１）を含む追跡対象部画像（２３）に、追跡対象画像特徴が含まれない複数の非追跡対象画像のそれぞれを重ねた複数の重畳画像（２６）を作成する重畳画像作成部（Ｃ６）と、複数の重畳画像（２６）に基づいて、追跡対象の画像特徴および位置の少なくとも一方を学習して識別器を作成する識別器作成部（Ｃ９）と、識別器と、追跡対象と障害物との各画像特徴を含む被追跡画像（２８）とに基づいて、被追跡画像（２８）における追跡対象の画像特徴および位置の少なくとも一方を特定する追跡対象特定部（Ｃ１２）と、を備えた対象追跡装置により、従来技術のテンプレートマッチングによる画像追跡法に比べて、障害物の影響を受けずに追跡対象部位を特定しやすくする。
2018159775.tif 000002
【特許請求の範囲】
【請求項１】
追跡対象の画像特徴を含む追跡対象部画像に、前記画像特徴を含まない複数からなる非追跡対象画像のそれぞれを重ねた複数の重畳画像を作成する重畳画像作成部と、
前記複数の重畳画像に基づいて、前記追跡対象の画像特徴および位置情報の少なくとも一方を学習して識別器を作成する識別器作成部と、
前記識別器と、前記追跡対象の画像特徴を含む被追跡画像とに基づいて、前記被追跡画像における前記追跡対象の画像特徴および位置情報の少なくとも一方を特定する追跡対象特定部と、
を備えたことを特徴とする対象追跡装置。
【請求項２】
前記追跡対象の画像特徴を特定する教師画像を予め入力する入力部と、
前記複数の重畳画像と前記教師画像に基づいて、前記追跡対象の画像特徴および位置情報の少なくとも一方を学習して識別器を作成する前記識別器作成部と、
を備えたことを特徴とする請求項１に記載の対象追跡装置。
【請求項３】
前記追跡対象の画像特徴の大きさと、画像の分解能と、予め設定された追跡精度とに基づいて、前記非追跡対象画像の枚数を導出して、導出された枚数に応じた前記非追跡対象画像を作成する非追跡対象画像編集部、
を備えたことを特徴とする請求項１または２に記載の対象追跡装置。
【請求項４】
前記追跡対象の画像特徴を含む学習用の元画像から、前記追跡対象の画像特徴を含む追跡対象部画像と、前記追跡対象の画像特徴を含まない分離非追跡対象画像とに分離抽出する画像分離部と、
前記分離非追跡対象画像を編集して複数からなる前記非追跡対象画像を編集作成する非追跡対象画像編集部と、
前記追跡対象部画像と前記非追跡対象画像とに基づいて前記重畳画像を作成する前記重畳画像作成部と  
を備えたことを特徴とする請求項１ないし３のいずれかに記載の対象追跡装置。
【請求項５】
前記追跡対象の画像特徴を含む元画像から、前記追跡対象の画像特徴を含む追跡対象部画像と、前記追跡対象の画像特徴を含まない分離非追跡対象画像とに分離する画像分離部と、
前記元画像に含まれず且つ前記被追跡画像に含まれる障害物の画像を取得する障害物画像取得部と、
前記分離非追跡対象画像と前記障害物の画像との少なくとも１つを編集して複数からなる前記非追跡対象画像を編集作成する非追跡対象画像編集部と、
前記追跡対象部画像と前記非追跡対象画像とに基づいて前記重畳画像を作成する前記重畳画像作成部と、
を備えたことを特徴とする請求項１ないし３のいずれかに記載の対象追跡装置。
【請求項６】
前記追跡対象の画像特徴を含む学習用の元画像から、前記追跡対象の画像特徴の画像コントラスト情報に基づき、前記追跡対象部画像と前記分離非追跡対象画像とに分離抽出する前記画像分離部と、
を備えたことを特徴とする請求項４または５に記載の対象追跡装置。
【請求項７】
追跡対象の画像特徴および位置情報の少なくとも一方が予め設定された評価用の画像と、前記識別器とに基づいて、追跡対象の追跡の精度を評価する追跡精度評価部、
を備えたことを特徴とする請求項１ないし６のいずれかに記載の対象追跡装置。
【請求項８】
前記追跡精度評価部による追跡の精度が、予め設定された精度に達しない場合に、前記非追跡対象画像の枚数を増やして前記識別器を再作成する前記識別器作成部、
を備えたことを特徴とする請求項７に記載の対象追跡装置。
【発明の詳細な説明】
【技術分野】
【０００１】
本発明は、対象追跡装置に関する。
【背景技術】
【０００２】
放射線治療などを行う場合に、被験者（患者）の呼吸や拍動等で、治療の標的対象（腫瘍等）の位置が移動するため、放射線を標的対象以外の部位（正常部位）に照射しないようにするためには、リアルタイムでＸ線透視画像を撮影して標的対象を追跡してその位置を特定し、標的対象が放射線の照射位置に移動したときにだけ放射線を照射する必要がある。なお、画像を撮影して標的対象の位置を特定および追跡し放射線の照射位置を誘導する技術、いわゆる画像誘導による対象追跡技術は、Ｘ線透視画像を使用することが一般的であるが、これに限定されない。例えば、Ｘ線透視画像だけでなく、超音波画像、ＭＲＩ（Magnetic Resonance Imaging：核磁気共鳴画像法）画像、ＣＴ画像（Computed Tomography）、ＰＥＴ（Positron Emission Tomography：陽電子放射断層撮影）画像を使用することも可能である。
標的対象の位置を特定し追跡するための技術として、以下の技術が公知である。【０００３】
特許文献１（特許第５６１０４４１公報）には、Ｘ線透視によるマーカレス追跡時に想定される追跡性能の低下を、体外の情報で補完する技術が記載されている。すなわち、がん病巣など治療標的対象物を包含するテンプレート画像を基に、治療時に治療標的対象の位置を検出するための透視Ｘ線画像の各フレーム内にてパターンマッチング処理をして、治療標的の位置が照射予定位置から所定の誤差範囲内にあり、かつ、呼吸等に起因する略周期的（pseudo-periodic）な動きによる照射ズレを最小限に抑えるために、照射タイミングとして適した（体表面の動きに基づいて設定される）時間（位相）ウィンドウ内で治療用放射線の照射を行う標的追跡技術が記載されている。なお、特許文献１には、治療標的位置の決定精度を高めるために、治療標的とは異なる横隔膜や骨などの非追跡対象を参照位置の情報として、パターンマッチングを行うことも記載されている。【０００４】
特許文献２（特許第３０５３３８９号公報）には、金属マーカーを患者の体内に挿入してＸ線透視での腫瘍近傍追跡の追跡精度を高める技術が記載されている。すなわち、治療の標的対象となる腫瘍近傍に埋め込まれた腫瘍マーカーを複数の方向からＸ線で透視して撮影し、予め登録された追跡対象（腫瘍）マーカーのテンプレート画像と濃淡正規化相互相関によるテンプレートマッチングを行って、腫瘍マーカーの位置を３次元で特定する技術が記載されている。【０００５】
特許文献３（特許第４５０５６３９号公報）には、特許文献２と同様に濃淡正規化相互相関によるテンプレートマッチングを行って腫瘍マーカの位置を特定し、その時系列的な位置データを予め取得しておき、予め取得されたデータから、現在時刻における腫瘍マーカの位置を推定する技術が記載されている。【０００６】
特許文献４（国際公開２０１５／１２５６００号公報）には、連続して取得されたＸ線画像に対して、異なる呼吸位相に対して作成されたテンプレートマッチングを実行することにより、各呼吸位相における治療対象部位の位置を特定する技術が記載されている。特許文献４に記載の技術では、基準呼吸位相における治療対象部位の位置と、連続する複数の呼吸位相における治療対象部位を含む３次元Ｘ線画像データから、異なる呼吸位相間での治療対象部位のＸ線画像の変形量を算出し、各呼吸位相における治療対象部位の位置を取得してテンプレートを作成している。
【先行技術文献】
【特許文献】
【０００７】
【特許文献１】特許第５６１０４４１公報（「００１０」、「００１３」〜「００１６」、図１、図２）
【特許文献２】特許第３０５３３８９号公報（「００３５」〜「００４６」、図１、図２）
【特許文献３】特許第４５０５６３９号公報（「００２４」〜「００２９」）
【特許文献４】国際公開２０１５／１２５６００号公報（「００１０」）
【発明の概要】
【発明が解決しようとする課題】
【０００８】
(従来技術の問題点)
特許文献１〜４に記載の技術では、基本的に、治療の標的対象である患者の腫瘍や病巣を含む部位（追跡対象部位）のテンプレート画像を事前に作成しておき、放射線を実際に照射する際に、テンプレート画像と実際の撮影画像とを比較して、追跡対象部位を特定している。
しかし、Ｘ線透視画像は体内の３次元構造を投影した画像であるために、追跡対象部位が、骨（非追跡対象、障害物）で隠れてしまう問題がある。特に、Ｘ線画像の中に骨が多く写っている場合は、追跡対象が骨で隠れやすい問題がある。また、Ｘ線画像を撮影する際に、患者が寝ているベッドの枠（カウチフレーム）や固定具といった非追跡対象物（障害物）がＸ線画像に写り込んでしまう場合もある。また、Ｘ線治療では透過した治療用Ｘ線をＥＰＩＤ（Electronic Portal Imaging Device：電子的放射線治療照合装置）により画像化する事で、治療標的対象部位を追跡し位置精度を検証する場合もある。この場合、治療標的対象部位の位置ずれが大きいと正常組織への照射を制限するコリメータに治療標的対象部位が隠れてしまう問題もある。このように、テンプレート画像を作成したり、Ｘ線透視画像を撮影する際に、障害物（骨やカウチフレームやコリメータ等）により追跡標的対象部位が見えにくい場合があり、このために従来のテンプレートマッチング法等の追跡アルゴリズムでは追跡が困難になる問題があった。また、動体追跡照射法のように、追跡を確実にするために体内に金属のマーカーを埋め込むことでテンプレートマッチングの精度を高めることも可能であるが、侵襲的な方法となり、患者に負担がかかる問題もある。【０００９】
骨やカウチフレームに相当する非追跡対象物（障害物）部分を特定して、骨の情報を減算する処理（Bone Suppress法）を行うことも報告されている。しかし、この処理法では、骨に対する特定の画像処理と、骨画像情報を減算する処理があるので、処理速度が遅い問題があり、リアルタイム性が求められるＸ線の照射位置の追跡に難がある。また、骨等の障害物情報を減算する際に、障害物に隠れる等により障害物画像に画像情報の一部が含まれた追跡対象部位まで情報が減算されることとなり、画像上の追跡対象部位の外形が、実際の追跡対象部位の外形とずれてしまう問題もある。
また、患者の呼吸に伴って、撮影される追跡対象の形状が変化することが知られているが、従来技術では、テンプレート画像を作成する場合に、骨等の障害物で隠れた部分の形状の特定が困難であるという問題もある。【００１０】
さらに、撮影されるＸ線の画像も、テンプレート画像の撮影時と、放射線を照射する際で、明るい部分と暗い部分との差、いわゆるコントラストが異なる場合がある。よって、テンプレート画像と、放射線照射時のＸ線透視画像とを対比しても、追跡対象の位置が不明瞭な場合がある。
また、患者の咳やくしゃみ等の予期せぬ動きにより、追跡対象がテンプレート画像の範囲を超えるような大きな動き（想定外の動き）をすることもあるが、特許文献３，４のような従来技術では、テンプレート画像を作成する際に、呼吸のような周期的な変化にしか対応できない問題もある。【００１１】
本発明は、従来技術のテンプレートマッチングによる画像追跡法に比べて、障害物の影響を受けずに追跡対象部位を特定しやすくすることを技術的課題とする。
【課題を解決するための手段】
【００１２】
前記技術的課題を解決するために、請求項１に記載の発明の対象追跡装置は、
追跡対象の画像特徴を含む追跡対象部画像に、前記画像特徴を含まない複数からなる非追跡対象画像のそれぞれを重ねた複数の重畳画像を作成する重畳画像作成部と、
前記複数の重畳画像に基づいて、前記追跡対象の画像特徴および位置情報の少なくとも一方を学習して識別器を作成する識別器作成部と、
前記識別器と、前記追跡対象の画像特徴を含む被追跡画像とに基づいて、前記被追跡画像における前記追跡対象の画像特徴および位置情報の少なくとも一方を特定する追跡対象特定部と、
を備えたことを特徴とする。【００１３】
請求項２に記載の発明は、請求項１に記載の対象追跡装置において、
前記追跡対象の画像特徴を特定する教師画像を予め入力する部と、
前記複数の重畳画像と前記教師画像に基づいて、前記追跡対象の画像特徴および位置情報の少なくとも一方を学習して識別器を作成する前記識別器作成部と、
を備えたことを特徴とする。【００１４】
請求項３に記載の発明は、請求項１または２に記載の対象追跡装置において、
前記追跡対象の画像特徴の大きさと、画像の分解能と、予め設定された追跡精度とに基づいて、前記非追跡対象画像の枚数を導出して、導出された枚数に応じた前記非追跡対象画像を作成する非追跡対象画像編集部、
を備えたことを特徴とする。【００１５】
請求項４に記載の発明は、請求項１ないし３のいずれかに記載の対象追跡装置において、
前記追跡対象の画像特徴を含む学習用の元画像から、前記追跡対象の画像特徴を含む追跡対象部画像と、前記追跡対象の画像特徴を含まない分離非追跡対象画像とに分離抽出する画像分離部と、
前記分離非追跡対象画像を編集して複数からなる前記非追跡対象画像を編集作成する非追跡対象画像編集部と、
前記追跡対象部画像と前記非追跡対象画像とに基づいて前記重畳画像を作成する前記重畳画像作成部と  
を備えたことを特徴とする。【００１６】
請求項５に記載の発明は、請求項１ないし３のいずれかに記載の対象追跡装置において、
前記追跡対象の画像特徴を含む元画像から、前記追跡対象の画像特徴を含む追跡対象部画像と、前記追跡対象の画像特徴を含まない分離非追跡対象画像とに分離する画像分離部と、
前記元画像に含まれず且つ前記被追跡画像に含まれる障害物の画像を取得する障害物画像取得部と、
前記分離非追跡対象画像と前記障害物の画像との少なくとも１つを編集して複数からなる前記非追跡対象画像を編集作成する非追跡対象画像編集部と、
前記追跡対象部画像と前記非追跡対象画像とに基づいて前記重畳画像を作成する前記重畳画像作成部と、
を備えたことを特徴とする。【００１７】
請求項６に記載の発明は、請求項４または５に記載の対象追跡装置において、
前記追跡対象の画像特徴を含む学習用の元画像から、前記追跡対象の画像特徴の画像コントラスト情報に基づき、前記追跡対象部画像と前記分離非追跡対象画像とに分離抽出する前記画像分離部と、
を備えたことを特徴とする。【００１８】
請求項７に記載の発明は、請求項１ないし６のいずれかに記載の対象追跡装置において、
追跡対象の画像特徴および位置情報の少なくとも一方が予め設定された評価用の画像と、前記識別器とに基づいて、追跡対象の追跡の精度を評価する追跡精度評価部、
を備えたことを特徴とする。【００１９】
請求項８に記載の発明は、請求項７に記載の対象追跡装置において、
前記追跡精度評価部による追跡の精度が、予め設定された精度に達しない場合に、前記非追跡対象画像の枚数を増やして前記識別器を再作成する前記識別器作成部、
を備えたことを特徴とする。
【発明の効果】
【００２０】
請求項１に記載の発明によれば、従来技術のテンプレートマッチングによる画像追跡法に比べて、治療の追跡対象部位の領域および位置の少なくとも一方を特定しやすくすることができる。
請求項２に記載の発明によれば、教師画像を使用しない場合に比べて、処理を高速化できる。請求項２の記載によれば、教師画像がある場合には、教師画像中の追跡対象の画像特徴領域の位置と形状は、複数の重畳画像に含まれる追跡対象の画像特徴領域の位置と形状とに相関があるが、追跡対象外の障害物の画像特徴の位置と形状には相関がない。この相関の有無が、追跡に必要な情報か否かを区別して学習する効果を生じさせる。
請求項３に記載の発明によれば、画像の大きさや分解能、追跡制度に応じて、必要十分な枚数の非追跡対象画像を作成することができる。【００２１】
請求項４に記載の発明によれば、骨などの追跡の障害となる背景物・障害物を含む分離された非追跡対象画像を使用しない場合に比べて、患者などの被検体ごとに異なる背景や障害物の差異に応じた学習ができる。すなわち、従来技術では、多くの被検体に基づいて作成された識別器のみ実現可能であったが、それら従来技術に比して個々の被検体に適した追跡を行うことができる。
請求項５に記載の発明によれば、元画像に含まれない障害物の画像を追加することで、元画像に含まれていない障害物が、対象追跡中の被追跡画像に混入した時にでも、対象追跡の精度も向上させることができる。すなわち、従来は、このような学習の元画像に入っていない障害物が対象追跡中の被追跡画像に混入した時には著しく対象追跡の精度が低下したが、それら従来技術に比して、個別の被追跡画像に適した追跡を行う事ができる。【００２２】
請求項６に記載の発明によれば、コントラスト情報に基づいて、追跡対象と非追跡対象とを分離することを自動的に行うことができ、手動で追跡対象を指定する場合に比べて、分離の処理を容易にできる。
請求項７に記載の発明によれば、実際の治療の前に識別器の評価をすることができる。
請求項８に記載の発明によれば、識別器の精度が不十分な場合は、枚数の増えた重畳画像を利用して識別器を再作成することができ、識別器の精度を向上させることができる。
【図面の簡単な説明】
【００２３】
【図１】図１は本発明の実施例１の対象追跡装置が適用された放射線治療機の説明図である。
【図２】図２は実施例１の放射線治療機の制御部が備えている各機能をブロック図で示した図である。
【図３】図３は実施例１の制御部における処理の一例の説明図である。
【図４】図４は追跡対象の位置の学習の一例の説明図であり、図４Ａは複数の重畳画像の一例の説明図、図４Ｂは重畳画像が重ねられた場合の説明図である。
【図５】図５は実施例１の学習処理のフローチャートの説明図である。
【図６】図６は実施例１の追跡処理のフローチャートの説明図である。
【図７】図７は実施例１の放射線治療機における腫瘍の追跡結果の説明図である。
【図８】図８は実施例１の実験結果の説明図である。
【図９】図９は時間経過に対して追跡対象が移動する範囲の説明図であり、図９Ａは従来のテンプレート法の説明図、図９Ｂは実施例１の学習方法の説明図である。
【図１０】図１０はＥＰＩＤにより撮像した画像を用いて治療の標的対象である腫瘍の追跡を行った場合の説明図であり、図１０Ａはコリメータに追跡対象が隠れていない状態の説明図、図１０Ｂはコリメータに追跡対象が一部隠れた状態の説明図である。
【発明を実施するための形態】
【００２４】
次に図面を参照しながら、本発明の実施の形態の具体例である実施例を説明するが、本発明は以下の実施例に限定されるものではない。
なお、以下の図面を使用した説明において、理解の容易のために説明に必要な部材以外の図示は適宜省略されている。
【実施例１】
【００２５】
図１は本発明の実施例１の対象追跡装置が適用された放射線治療機の説明図である。
図１において、本発明の実施例１の対象追跡装置が適用された放射線治療機１は、治療の被検体である患者２が寝るベッド３を有する。ベッド３の上方には、透視撮影用Ｘ線照射装置４が配置されている。透視撮影用Ｘ線照射装置４は、Ｘ線透視画像（ＣＴ画像）を撮影するためのＸ線を患者に向けて照射可能に構成されている。患者２を挟んで透視撮影用Ｘ線照射装置４の反対側には、撮像装置６が配置されている。撮像装置６は、患者を透過したＸ線を受けてＸ線透視画像を撮像する。撮像装置６で撮影した画像は画像生成器７で電気信号に変換され、コントロールシステム８に入力される。なお、透視撮影用Ｘ線照射装置４や撮像装置６、画像生成器７は、従来公知の任意の構成を採用可能であり、例えば、特許文献２〜４等に記載のような３次元のＣＴ画像を作成可能な構成を採用することが望ましい。【００２６】
また、ベッド３の側方には、治療用放射線照射器（治療装置）１１が配置されている。治療用放射線照射器１１は、コントロールシステム８から制御信号が入力可能に構成されている。治療用放射線照射器１１は、制御信号の入力に応じて、予め設定された位置（患者２の患部）に向けて治療用の放射線を照射可能に構成されている。【００２７】
（実施例１のコントロールシステム（制御部）の説明）
図２は実施例１の放射線治療機の制御部が備えている各機能をブロック図で示した図である。
図２において、コントロールシステム８の制御部Ｃは、外部との信号の入出力等を行う入出力インターフェースＩ／Ｏを有する。また、制御部Ｃは、必要な処理を行うためのプログラムおよび情報等が記憶されたＲＯＭ：リードオンリーメモリを有する。また、制御部Ｃは、必要なデータを一時的に記憶するためのＲＡＭ：ランダムアクセスメモリを有する。また、制御部Ｃは、ＲＯＭ等に記憶されたプログラムに応じた処理を行うＣＰＵ：中央演算処理装置を有する。したがって、実施例１の制御部Ｃは、小型の情報処理装置、いわゆるマイクロコンピュータにより構成されている。よって、制御部Ｃは、ＲＯＭ等に記憶されたプログラムを実行することにより種々の機能を実現することができる。【００２８】
（制御部Ｃに接続された信号出力要素）
制御部Ｃは、操作部ＵＩや、画像生成器７、図示しないセンサ等の信号出力要素からの出力信号が入力されている。
操作部（ユーザインタフェース）ＵＩは、表示部の一例であって入力部の一例としてのタッチパネルＵＩ０を有する。また、操作部ＵＩは、学習処理開始用のボタンＵＩ１や、教師データ入力用のボタンＵＩ２、治療開始用のボタンＵＩ３等の各種入力部材を有する。
画像生成器７は、撮像装置６で撮影されたＣＴ画像を制御部Ｃに入力する。なお、画像生成器７は、一例として、１秒間に１５枚の画像（１５フレーム：６６［ms／f］）を入力する。【００２９】
（制御部Ｃに接続された被制御要素）
制御部Ｃは、透視撮影用Ｘ線照射装置４や治療用放射線照射器１１、その他の図示しない制御要素に接続されている。制御部Ｃは、透視撮影用Ｘ線照射装置４や治療用放射線照射器１１等へ、それらの制御信号を出力している。
透視撮影用Ｘ線照射装置４は、学習時や治療時にＸ線透視画像を撮影するためのＸ線を患者２に向けて照射する。
治療用放射線照射器１１は、治療時に治療用の放射線（Ｘ線）を患者２に向けて照射する。【００３０】
（制御部Ｃの機能）
制御部Ｃは、前記信号出力要素からの入力信号に応じた処理を実行して、前記各制御要素に制御信号を出力する機能を有している。すなわち、制御部Ｃは次の機能を有している。【００３１】
図３は実施例１の制御部における処理の一例の説明図である。
Ｃ１：学習画像読み取り部
学習画像読み取り部Ｃ１は、画像生成器７から入力されたＣＴ画像を読み取る（読み込む）。実施例１の学習画像読み取り部Ｃ１は、学習処理開始用のボタンＵＩ１が入力された場合に、画像生成器７から入力された画像を読み取る。なお、実施例１では、学習処理開始用のボタンＵＩ１の入力が開始されてから、予め設定された学習期間の間、ＣＴ画像の読み取りが行われる。なお、実施例１の学習画像読み取り部Ｃ１は、図３に示す追跡対象画像特徴２１（追跡対象である腫瘍の特徴を示す画素値の配置パターン及び画像領域）を含む学習用の元画像（複数の横断面画像）２２から、縦断面画像（図示せず）を構成して、以下の作業を行う。よって、実施例１では、学習に関連する各部Ｃ２〜Ｃ１０は、学習画像読み取り部Ｃ１が読み取り、記憶した時系列に沿った各画像それぞれに基づいて、画像分離や編集、重畳等を実行する。すなわち、実施例１では、ＣＴ画像の撮影に対して、リアルタイムでの学習処理は行わないが、ＣＰＵの高速化等で処理速度が向上し、リアルタイムでも処理が可能になれば、リアルタイムで行うことも可能である。【００３２】
Ｃ２：画像分離部
画像分離部Ｃ２は、追跡対象画像特徴２１を含む学習用の元画像２２に基づいて、追跡対象画像特徴２１を含む追跡対象部画像２３の一例としての軟部組織ＤＲＲ（Digitally Reconstructed Radiography）画像と、追跡対象画像特徴２１という追跡対象の特徴を示す領域を含まない分離背景画像（非追跡対象画像、分離非追跡対象画像）２４の一例としての骨構造の画像特徴を含む骨構造ＤＲＲ画像（骨画像）とに分離抽出する。実施例１の画像分離部Ｃ２は、ＣＴ画像のコントラスト情報であるＣＴ値に基づいて、追跡対象部画像２３（第１の画像、軟部組織ＤＲＲ画像）と分離背景画像２４（骨構造ＤＲＲ画像）とに分離する。実施例１では、一例として、ＣＴ値が２００以上の領域を骨構造ＤＲＲ画像として分離背景画像２４を構成し、ＣＴ値が２００未満の領域を軟部組織ＤＲＲ画像として追跡対象部画像２３を構成する。【００３３】
なお、実施例１では、一例として、肺に発生した腫瘍（追跡対象）すなわち治療の標的対象が軟部組織ＤＲＲ画像として追跡対象部画像２３に写る場合の実施例であるが、例えば、追跡対象が骨の異常部分等である場合は、追跡対象部画像２３として骨構造ＤＲＲ画像を選択し、分離背景画像２４として軟部組織ＤＲＲ画像を選択する。このように、追跡対象部画像と背景画像（非追跡対象画像）の選択は、追跡対象および障害物を含む背景画像に応じて、適切に選択される。
腫瘍（追跡対象）の指定は、画面上で手動で腫瘍の領域を指定したりするような手動での指定とすることも可能である。また、複数の元画像２２に共通で写り込んでいるものを自動的に抽出するような腫瘍の自動判別を行う構成とすることも可能である。【００３４】
Ｃ３：障害物画像取得部
障害物画像取得部Ｃ３は、治療用放射線照射器１１において被追跡画像２８を取得する場合に含まれ、且つ、分離背景画像２４とは異なる障害物の画像２５を取得する。実施例１では、障害物画像２５として、ベッド３のフレーム（カウチフレーム）や患者をベッド３に固定する固定具のＸ線画像が予め記憶媒体に記憶されており、障害物画像取得部Ｃ３は、記憶媒体に記憶されたカウチフレームや固定具の画像（障害物画像２５）を読み取って取得する。
Ｃ４：乱数発生部
乱数発生部Ｃ４は乱数を発生させる。【００３５】
Ｃ５：背景画像編集部（非追跡対象画像編集部、非追跡対象画像作成部）
背景画像編集部Ｃ５は、分離背景画像２４や障害物画像２５の追跡対象部画像２３に対する位置、拡縮、回転および明暗の少なくとも一つを編集して、背景画像（非追跡対象画像）２９を作成する一例である。実施例１の背景画像編集部Ｃ５は乱数に基づいて、位置、拡縮、回転および明暗の少なくとも一つを編集する。実施例１では、具体的には、アフィン変換を行って分離背景画像２４や障害物画像２５を平行移動させたり、線形変換（回転、せん断、拡大、縮小）させており、乱数に基づいてアフィン変換の行列の各値を変化させることで、分離背景画像２４等を編集し背景画像２９を作成する。なお、明暗（コントラスト）についても、分離背景画像２４等の明暗を、明または暗の方向に、乱数に応じた量変化させる。実施例１では、背景画像編集部Ｃ５は、１つの分離背景画像２４等に対して、予め設定された数の一例としての１００枚の編集された背景画像を作成する。すなわち、分離背景画像２４等の位置等が乱数によりランダムに編集された１００枚の背景画像２９が作成される。【００３６】
なお、作成される背景画像２９の枚数Ｎは、追跡対象部画像２３の画像の領域の大きさと、画像の分解能と、予め設定された追跡精度とに基づいて、設定することが望ましい。一例として、追跡対象部画像２３の画像が１０ｃｍ×１０ｃｍで、分解能が１ｍｍ、要求される追跡精度が分解能の１０倍の場合には、｛１０（ｃｍ）/１（ｍｍ）｝×１０（倍）＝１０００（枚）として、１０００枚の背景画像２９を作成するようにすることも可能である。【００３７】
Ｃ６：重畳画像作成部
重畳画像作成部Ｃ６は、追跡対象部画像２３に、背景画像２９（分離背景画像２４や障害物画像２５に回転等の編集がされた画像）をそれぞれ重畳した重畳画像２６を作成する。
Ｃ７：教師画像の入力受付部
教師画像の入力受付部Ｃ７は、タッチパネルＵＩ０への入力や教師データ入力用のボタンＵＩ２への入力に応じて、追跡すべき対象を教師する画像の一例としての教師画像特徴２７を含む教師画像３０の入力を受け付ける。なお、実施例１では、タッチパネルＵＩ０に学習用の元画像（ＣＴ画像）２２を表示し、医師が治療の標的対象である追跡対象の画像特徴を囲むように画面上にて入力して、教師画像特徴２７を決定することが可能なように構成されている。
Ｃ８：教師画像付加部
教師画像付加部Ｃ８は、入力された教師画像特徴２７を含む教師画像３０を重畳画像２６に付加する（さらに重畳する）。【００３８】
図４は追跡対象の位置の学習の一例の説明図であり、図４Ａは複数の重畳画像の一例の説明図、図４Ｂは重畳画像が重ねられた場合の説明図である。
Ｃ９：学習部（識別器作成部）
学習部Ｃ９は、複数の重畳画像２６に教師画像３０が付加された複数の学習画像５１に基づいて、画像における追跡対象画像特徴２１の領域情報および位置情報の少なくとも一方を学習して、識別器を作成する。なお、実施例１では、追跡対象画像特徴２１の領域と位置の両方を学習する。また、実施例１では、追跡対象画像特徴２１の領域の重心の位置を追跡対象画像特徴２１の位置としているが、領域の上端、下端、右端、左端等、設計や仕様等に応じて任意の位置に変更可能である。【００３９】
図４において、実施例１の学習部Ｃ９では、ランダムに位置等が編集された障害物画像特徴３１の画像が追跡対象画像特徴３２に重畳された複数の重畳画像（図４Ａ参照）において、各画像を更に重畳すると、図４Ｂに示すように、位置が編集されていない追跡対象画像特徴３２が相対的に強調（増幅）され、且つ、位置等がランダムな障害物画像特徴３１が相対的に抑制（減衰）されることとなる。したがって、ＣＴ画像における追跡対象画像特徴３２の位置や外形を学習することが可能である。なお、学習部Ｃ９としては、従来公知の任意の構成を採用可能であるが、いわゆるディープラーニング（多層構造のニューラルネットワーク）を使用することが好ましく、特に、ＣＮＮ（Convolutional Neural Network：畳込みニューラルネットワーク）を使用することが好ましい。実施例１では、ディープラーニングの一例としてのＣａｆｆｅを使用したが、これに限定されず、任意の学習部（フレームワーク、アルゴリズム、ソフトウェア）を採用可能である。【００４０】
Ｃ１０：学習結果記憶部
学習結果記憶部Ｃ１０は、学習部Ｃ９の学習結果を記憶する。すなわち、学習で最適化されたＣＮＮを識別器として記憶する。
Ｃ１１：Ｘ線透視画像読み取り部
Ｘ線透視画像読み取り部Ｃ１１は、画像生成器７から入力されたＣＴ画像（第３の画像）を読み取る。実施例１のＸ線透視画像読み取り部Ｃ１１は、治療開始用のボタンＵＩ３が入力された場合に、画像生成器７から入力された被追跡画像２８を読み取る。【００４１】
Ｃ１２：対象特定部
対象特定部Ｃ１２は、学習部Ｃ９の学習結果と、追跡対象である標的対象を含む被追跡画像２８とに基づいて、被追跡画像２８における追跡対象の位置を特定する。実施例１の対象特定部Ｃ１２は、学習で最適化された識別器（ＣＮＮ）を使用して、被追跡画像２８（この場合はＸ線透視画像）における追跡対象画像特徴２１の領域情報および位置情報を特定し、その領域情報および位置情報を出力する。
Ｃ１３：放射線照射部
放射線照射部Ｃ１３は、治療用放射線照射器１１を制御して、対象特定部Ｃ１２で特定された追跡対象画像特徴２１の領域および位置が、治療用Ｘ線の照射範囲に含まれる場合に、治療用Ｘ線を照射させる。【００４２】
Ｃ１４：追跡精度評価部
追跡精度評価部Ｃ１４は、追跡対象の領域および位置の少なくとも一方が予め設定された評価用の画像（テスト画像）と、識別器とに基づいて、追跡対象の追跡の精度を評価する。実施例１では、テスト画像として、追跡対象の領域および位置が既知の画像を使用して、識別器で追跡対象の追跡を行い、識別器で特定した追跡対象の領域および位置と、既知の領域および位置とのズレを評価する。評価は、領域については、例えば、識別器で特定した領域の外縁の各画素（ピクセル）と、テスト画像における追跡対象の外縁の画素で、（位置が一致するピクセル数）／（外縁の総ピクセル数）を演算し、それが、閾値（例えば９０％）を超えていれば、識別器の精度が領域の特定については十分と評価することが可能である。同様に、位置についても、識別器で特定した追跡対象の位置（重心位置）が、テスト画像における追跡対象の位置に対して、ズレが、閾値（例えば、５ピクセル）以内であれば、識別器の精度が位置の特定については十分と評価することが可能である。なお、評価方法は、上記に限定されず、例えば、領域は外形の形状同士の相関係数を導出して評価をする等、任意の評価方法を採用可能である。【００４３】
なお、実施例１では、追跡精度評価部Ｃ１４で精度が不十分と評価された場合には、背景画像編集部Ｃ５でそれまでの枚数Ｎの２倍の枚数（２Ｎ）の編集画像を作成して、追加された編集画像を使用して重畳画像を追加で作成し、増えた重畳画像を使用して学習部Ｃ９で識別器を再作成する。したがって、再作成された識別器の精度は向上される。なお、識別器の精度が、予め設定された閾値に達するまで、自動的に編集画像を増やして、識別器を再作成し続けるように構成することも可能であるし、手動で編集画像の増加や識別器の再作成を行うようにすることも可能である。
なお、透視撮影用Ｘ線照射装置４や撮像装置６、画像生成器７、コントロールシステム８、前記各部Ｃ１〜Ｃ１４により実施例１の対象追跡装置が構成されている。【００４４】
（実施例１の流れ図の説明）
次に、実施例１の放射線治療機１における制御の流れを流れ図、いわゆるフローチャートを使用して説明する。【００４５】
（学習処理のフローチャートの説明）
図５は実施例１の学習処理のフローチャートの説明図である。
図５のフローチャートの各ステップＳＴの処理は、放射線治療機１の制御部Ｃに記憶されたプログラムに従って行われる。また、この処理は放射線治療機１の他の各種処理と並行して実行される。なお、ユーザの入力に応じて、作成された識別器の追跡精度を評価する処理については、フローチャートが簡単なため、図示および詳細な説明は省略する。
図５に示すフローチャートは学習処理開始用のボタンＵＩ１の入力により開始される。【００４６】
図５のＳＴ１において、ＣＴ画像（元画像２２）の読み取りを実行する。そして、ＳＴ２に進む。
ＳＴ２において、元画像２２からＣＴ値２００未満の追跡対象部画像２３と、ＣＴ値２００以上の分離背景画像２４とを作成する。そして、ＳＴ３に進む。
ＳＴ３において、乱数と分離背景画像２４から平行移動等を編集した編集画像を所定数Ｎ作成する。そして、ＳＴ４に進む。
ＳＴ４において、追跡対象部画像２３と、各編集画像を重畳した重畳画像２６を作成する。そして、ＳＴ５に進む。【００４７】
ＳＴ５において、タッチパネルＵＩ０に教師データ（教師画像特徴２７）を入力するための画像を表示する。そして、ＳＴ６に進む。
ＳＴ６において、教師データ（教師画像特徴２７）の入力がされたか否かを判別する。イエス（Ｙ）の場合はＳＴ７に進み、ノー（Ｎ）の場合はＳＴ６を繰り返す。
ＳＴ７において、各重畳画像２６に教師データ（教師画像特徴２７）を付加する。そして、ＳＴ８に進む。【００４８】
ＳＴ８において、学習期間が終了したか否かを判別する。ノー（Ｎ）の場合はＳＴ９に進み、イエス（Ｙ）の場合はＳＴ１０に進む。
ＳＴ９において、次のＣＴ画像（元画像２２）を読み取る。そして、ＳＴ２に戻る。
ＳＴ１０において、ＣＮＮで学習を実行して、識別器（最適化されたＣＮＮ）を出力し、記憶する。そして、学習処理を終了する。【００４９】
（追跡処理のフローチャートの説明）
図６は実施例１の追跡処理のフローチャートの説明図である。
図６のフローチャートの各ステップＳＴの処理は、放射線治療機１の制御部Ｃに記憶されたプログラムに従って行われる。また、この処理は放射線治療機１の他の各種処理と並行して実行される。なお、Ｘ線の照射処理については、追跡対象の位置が予め設定された照射位置に到達している場合にＸ線を照射し、それ以外の場合は照射しないという処理であるため、図示および詳細な説明は省略する。なお、Ｘ線の照射処理については、特許文献１〜４に記載の従来公知の技術を採用することも可能である。
図６に示すフローチャートは治療開始用のボタンＵＩ３の入力により開始される。【００５０】
図６のＳＴ２１において、識別器（最適化されたＣＮＮ）を読み込む。そして、ＳＴ２２に進む。
ＳＴ２２において、Ｘ線透視画像の入力がされたか否かを判別する。イエス（Ｙ）の場合はＳＴ２３に進み、ノー（Ｎ）の場合はＳＴ２２を繰り返す。
ＳＴ２３において、入力画像（Ｘ線透視画像）と識別器から追跡対象（治療の標的対象）の位置を特定し、出力する。そして、ＳＴ２４に進む。
ＳＴ２４において、追跡処理、すなわち、治療用Ｘ線の照射処理が終了したか否かを判別する。ノー（Ｎ）の場合はＳＴ２２に戻り、イエス（Ｙ）の場合は追跡処理を終了する。【００５１】
（実施例１の作用）
図７は実施例１の放射線治療機における腫瘍の追跡結果の説明図である。
前記構成を備えた実施例１の放射線治療機１では、元画像２２から、追跡対象画像特徴２１を含む追跡対象部画像２３として軟部組織ＤＲＲ画像、追跡対象を含まない分離背景画像２４として骨構造ＤＲＲ画像を分離し、分離背景画像２４（骨構造ＤＲＲ画像）をランダムに編集（加工）して、追跡対象部画像２３（軟部組織ＤＲＲ画像）と重ねている。したがって、学習時に、追跡対象画像特徴２１の位置と形状を明確に認識しやすい。元画像２２にカウチフレーム等の障害物が写り込んでいる場合には、その画像特徴は、元画像２２から分離されて分離背景画像（骨構造ＤＲＲ画像）２４に含まれた状態で学習されるため、学習時にカウチフレーム等の障害物の影響も抑制される。また、学習される障害物が、カテーテル等の体内に入る手術器具等であっても、体内に入って写り込んだカテーテル等を障害物と判断し、追跡対象から分離しやすくなる。よって、カテーテル等の障害物が体内に入った状況で対象を追跡する際の、体内障害物の影響も抑制可能である。【００５２】
したがって、実施例１の放射線治療機１では、骨等の影響で外形が不明確になる恐れのある従来技術のテンプレート画像の作成方法に比べて、追跡対象（治療の標的対象）の位置や外形（領域）を特定しやすくすることができる。したがって、図７に示すように、透視画像に骨（非追跡対象、障害物）が映り込んでいたり、呼吸に伴って呼気位相、中間位相、吸気位相で腫瘍の位置や外形が変化しても、精度良く追跡することが可能である。すなわち、腫瘍の位置の追跡だけでなく、腫瘍の形状もリアルタイムで追跡可能である。【００５３】
また、元画像２２、すなわち、特定の患者の画像に基づいて、その患者に応じた識別器が作成されているので、多くの患者のデータに基づいて作成された汎用的な技術（テンプレート画像）を使用する場合に比べて、その患者に応じた精度の高い識別器を作成できる。骨の形状は個人差が少ないが、軟部組織（血管の走行や腫瘍の形状など）は個人差があるために、他人の画像を使用しても学習が効果的ではない場合がある。すなわち、多くの患者の画像を無作為に使用して学習した場合は、各患者の特徴は無視されるように学習が進むため、精度が低下する可能性が高い。これに対して、実施例１では、特定の患者に対して識別機が作成されており、精度が向上する。【００５４】
図８は実施例１の実験結果の説明図である。
図８において、テストデータを使用して追跡対象の追跡について実験を行った。実験例１は、実施例１の構成を採用した。比較例１は、軟部組織ＤＲＲ画像のみを使用し、従来のテンプレート法で実験を行った。比較例２は、一般的なＤＲＲ画像（軟部組織ＤＲＲ画像＋骨構造ＤＲＲ画像）を使用して従来のテンプレート法で実験を行った。実験結果を図８に示す。
図８において、実験例１では、追跡対象の追跡においてエラーとなった画素の平均が０．２２［ピクセル］で、標準偏差が１．７、相関係数が０．９９７、ジャッカード係数が平均０．９１８（最大０．９９５、最小０．７６４）となり、追跡対象の追跡精度が高く、良好な結果が得られた。これに対して、比較例１では、エラーとなった画素の平均が４．４［ピクセル］で、標準偏差が１０、相関係数が０．１１３となった。比較例２では、エラーとなった画素の平均が３．９［ピクセル］で、標準偏差が９．１、相関係数が０．２５６となった。したがって、実施例１の構成（実験例１）で、従来（比較例１，２）に比べて、追跡の精度が向上していることが確認された。仮に、1ピクセルが１ｍｍであれば、従来技術では平均誤差が４ピクセル程度であるため平均追跡誤差が４ｍｍ以上であったが、実施例１では平均誤差が０．２２ピクセルであるため平均追跡誤差が０．２２ｍｍ以下に改善する。【００５５】
また、実施例１では、教師データ（教師画像特徴２７）を使用しているため、学習に必要な重畳画像２６のデータが２０００枚程度で十分な精度で学習が可能である。なお、教師データ無しでも学習（ディープラーニング）が可能であるが、学習に必要な重畳画像２６の枚数が多く必要になる。よって、教師データなしの場合は、教師データありの場合よりも重畳画像２６を作成する時間や学習にかかる時間が長くなるが、実施例１では教師データ（教師画像特徴２７）を使用しているため、処理を短時間で行うことが可能である。なお、実施例１では、画像の分離、乱数に基づいて編集、２０００枚の重畳画像の作成は、１分程度で処理が可能であった。また、ディープラーニングは９０分程度で処理が可能であった。また、Ｘ線治療時に標的対象の位置を特定（追跡）する処理も、実施例１では、１画像につき２５ｍｓで可能であった。なお、従来技術で前述したBone Suppress法を追跡処理で行ったところ、１画像につき１５秒かかった。したがって、従来技術に比べて、追跡時の処理速度が６００倍高速化された。【００５６】
さらに、実施例１では、追跡対象部画像２３（軟部組織ＤＲＲ画像）と分離背景画像２４（骨構造ＤＲＲ画像）をＣＴ値に基づいて元画像２２から分離して、編集、加工しているので、患者に応じた学習が可能である。
また、実施例１では、分離背景画像２４を編集する際に明暗（コントラスト）も編集している。したがって、学習用の元画像２２の撮影時と治療用のＸ線透視画像を撮影する時でコントラストが異なっても、コントラストが異なる状況についても学習済みであり、追跡し易い。なお、分離背景画像２４のコントラストだけでなく元画像２２の全体のコントラストを変えたものを使用して学習すれば、追跡の精度がさらに向上させることが可能である。【００５７】
さらに、実施例１では、分離背景画像２４や障害物画像２５をランダムに編集している。精度の高い学習には、均一に分散された十分なデータがあればよいが、ランダムに編集せずに予め準備しておく場合は面倒で手間がかかる。これに対して、実施例１では、元画像２２から分離した分離背景画像２４や、治療用放射線照射器１１に応じて追加された障害物画像２５を乱数でランダムに編集しており、均一に分散された十分な数のデータを容易に揃えることが可能である。【００５８】
一般的に、元画像の輝度変換、幾何学変換などによって学習画像数を増加させることは「データ拡張」と呼ばれる。データ拡張は、過学習（オーバーフィッティング）を防ぐために用いられる。これは、過学習により細かな特徴を学習しすぎてしまい汎化性能が落ちることを防ぐ目的である。しかし、これら線形変換は単純な変換によって元の画像に復元可能なため、せいぜい、数十倍程度までの画像増加が限界である。つまり、数百倍以上のデータ拡張には非線形変換の効果が必須になる。実施例１では、重畳画像２６は、全体として非線形変換となっている。したがって、数百倍以上のデータ拡張でも汎化性能の低下はないと考えられる。【００５９】
また、実施例１では、学習を行う際に、所定の学習期間のＣＴ画像に対して学習を行う。すなわち、空間（３次元）の要素に加えて、時間（４次元目）の要素も加わったＣＴ画像、いわゆる４ＤＣＴに対して学習が行われる。したがって、呼吸により時間的に変動する追跡対象の位置や外形に対しても精度良く追跡可能である。【００６０】
図９は時間経過に対して追跡対象が移動する範囲の説明図であり、図９Ａは従来のテンプレート法の説明図、図９Ｂは実施例１の学習方法の説明図である。
従来のテンプレート法では、図９Ａに示すように、各時刻におけるＣＴ画像における障害物（骨）と追跡対象の位置について学習するので、全体として追跡対象が移動する範囲は、ＣＴ画像で写った範囲、すなわち、呼吸で変動する範囲でしか学習が行われない。これに対して、実施例１では、各時刻におけるＣＴ画像において、分離背景画像２４等がランダムに編集され、骨やカウチフレーム等の非追跡対象、障害物に対する追跡対象の相対位置が様々異なる状況について学習される。すなわち、骨等を基準に見ると、追跡対象が色々な位置にある状況（位置的に幅を持った状況）について学習が行われ、この学習が、各時刻に対して行われる。したがって、図９Ｂに示すように、全体として追跡対象が移動する範囲は、ＣＴ画像に写った範囲を超えた範囲、すなわち、呼吸で移動する範囲を超えた範囲についても学習が行われることとなる。よって、実施例１では、学習を行う際に、相対的に骨等に対して追跡対象がずれている状況を学習するので、４ＤＣＴで取得した呼吸移動の範囲を超えた予想外の動きの状況（咳やくしゃみ）に対応することもできる。【００６１】
さらに、実施例１では、追跡精度評価部Ｃ１４によって、作成された識別器の評価が行われる。したがって、実際に放射線を照射する治療を行う前に、作成された識別器の精度の評価を行うことができ、識別器の精度が十分かどうかを治療前に事前に確認することができる。そして、精度が不十分な場合には、識別器の再作成を実行することが可能である。したがって、十分な精度を有する識別器を使用して治療を行うことができ、治療の精度が向上し、不十分な識別器を使用する場合に比べて、患者が余計な放射線被曝をすることも低減できる。【００６２】
図１０はＥＰＩＤにより撮像した画像を用いて治療の標的対象である腫瘍の追跡を行った場合の説明図であり、図１０Ａはコリメータに追跡対象が隠れていない状態の説明図、図１０Ｂはコリメータに追跡対象が一部隠れた状態の説明図である。
図１０において、ＥＰＩＤに適用した場合、追跡対象画像特徴４１に対して、コリメータ４２が障害物として写り込むことがある。そして、患者の呼吸等の体動に応じて、追跡対象画像特徴４１がコリメータ４２に隠れていない状態（図１０Ａ）と、一部隠れた状態（図１０Ｂ）との間で変化する場合がある。このような場合、従来のテンプレートを使用して追跡を行うと、隠れた状態で追跡対象画像特徴４１の外形を推定する精度が低下する。これに対して、実施例１では、コリメータ等の障害物画像２５を追加して学習しており、コリメータ４２のような障害物があっても、追跡対象画像特徴４１の外形を精度良く追跡することが可能であった。【００６３】
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ012）を下記に例示する。
（Ｈ01）前記実施例において、元画像や軟部組織ＤＲＲ画像、骨構造ＤＲＲ画像としてＣＴ画像を使用する構成を例示したがこれに限定されない。例えば、超音波画像、ＭＲＩ画像、ＰＥＴ画像等を使用することも可能である。すなわち、Ｘ線で撮影した画像に限定されず、ＭＲＩ（Magnetic Resonance Imaging）装置や超音波検査（エコー）で撮影した画像を使用することも可能である。
また、軟部組織ＤＲＲ画像と骨構造ＤＲＲ画像との分離は、ＣＴ値に応じて分離する構成を例示したが、ＣＴ画像を使用しない場合は、各画像において追跡対象が写る画像と、追跡対象が写らない画像とを分離できるパラメータに対して適切な閾値を設定可能である。【００６４】
（Ｈ02）前記実施例において、画像を使用して、追跡対象（重要とする部位）として腫瘍を例示し、重要でない部位として骨やカウチフレーム等を例示したが、これに限定されない。例えば、過去の監視カメラの複数の撮影画像において、人物（重要、追跡対象）を背景（非重要、非追跡対象）に対して学習させることで、人物の追跡を行う構成とすることも可能である。
（Ｈ03）前記実施例において、教師データ（教師画像特徴２７）を使用することが好ましいが、使用しない構成とすることも可能である。この場合は、重畳画像の数を増やすことで、重畳画像でほとんど同じ位置に登場するものを腫瘍（重要なもの）として、識別器を作成することが可能である。【００６５】
（Ｈ04）前記実施例において、平行移動や拡大縮小、回転、せん断、明暗の編集を行う構成を例示したがこれに限定されない。編集を行う内容（平行移動、拡縮等）を減らしたり、増やしたりすることも可能である。
（Ｈ05）前記実施例において、乱数に基づいて編集を行う構成を採用することが望ましいが、予め重畳させる画像（骨構造ＤＲＲ画像相当）を準備しておく構成とすることも可能である。
（Ｈ06）前記実施例において、追跡対象（腫瘍）の領域および位置の両方を追跡する構成を例示したが、これに限定されない。例えば、領域のみまたは位置のみを追跡する構成とすることも可能である。また、領域と位置以外の要素、例えば、明るさや色等を追跡するように学習等をすることも可能である。【００６６】
（Ｈ07）前記実施例において、追跡精度を評価する機能を備えることが望ましいが、備えない構成とすることも可能である。
（Ｈ08）前記実施例において、追跡対象としての腫瘍と、障害物として骨を例示したが、これに限定されない。例えば、治療時の患者の姿勢を確認する場合には、逆に、骨を追跡対象とし、軟部組織を障害物とすることも可能である。
（Ｈ09）前記実施例において、ＤＲＲ画像は、実施例に例示した投影角度に限定されず、任意の角度方向の投影を選択することが可能である。【００６７】
（Ｈ010）前記実施例において、マーカを使用せずに追跡を行う構成を例示したが、これに限定されない。マーカを埋め込んだＸ線画像等を使用してマーカの位置を学習して、障害物に隠れた場合でも、位置や外形を精度良く判別、追跡する構成とすることも可能である。
（Ｈ011）前記実施例において、追跡対象である腫瘍等が１つの場合について説明を行ったが、追跡対象が複数の場合にも適用可能である。例えば、教師画像として階調が２ｂｉｔ（２2＝４階調）以上のものを使用すれば、第１の追跡対象と第２の追跡対象で階調を変えて区別した１つの教師画像を使用して学習することで、追跡対象が複数の場合に対応可能である。すなわち、通常、教師画像とは領域分割を示すラベリングされた画像であり、画素値（階調）をラベル値としている。単なる２値化画像の場合は１ビット（０，１）で表現可能だが、複数領域をラベリングして区別するためには２ビット以上の階調が必要となる。また、例えば、２つの追跡対象のうち一方をマーカが無い追跡対象画像特徴とし、他方をマーカが埋め込まれた追跡対象画像特徴として、個別に追跡させることも可能である。【００６８】
（Ｈ012）前記実施例において、本発明の追跡対象装置を放射線治療機１に適用する構成を例示したがこれに限定されない。例えば、胆石を超音波で破砕する治療装置において、胆石の位置を追跡するために使用したり、光線力学療法（PDT : Photodynamic Therapy）で光感受性物質の追跡に使用する等、精度が必要な追跡が必要な任意の装置に適用可能である。
【符号の説明】
【００６９】
２１…追跡対象画像特徴、
２２…元画像、
２３…追跡対象部画像、
２４…分離非追跡対象画像、
２５…障害物画像、
２６…重畳画像、
２７…教師画像特徴、
２８…被追跡画像、
２９…非追跡対象画像、
３０…教師画像、
３１…障害物画像特徴、
３２…追跡対象画像特徴（教師画像内）、
４１…追跡対象画像特徴（ＥＰＩＤ画像内）、
４２…コリメータ、
５１…学習画像、
Ｃ１…学習画像読み取り部、
Ｃ２…画像分離部、
Ｃ３…障害物画像取得部、
Ｃ５…非追跡対象画像編集部、
Ｃ６…重畳画像作成部、
Ｃ７…教師画像の入力受付部、
Ｃ８…教師画像付加部、
Ｃ９…識別器作成部、
Ｃ１２…対象特定部、
Ｃ１４…追跡精度評価部。
【図１】
2018159775.tif 000003
【図２】
2018159775.tif 000004
【図３】
2018159775.tif 000005
【図４】
2018159775.tif 000006
【図５】
2018159775.tif 000007
【図６】
2018159775.tif 000008
【図７】
2018159775.tif 000009
【図８】
2018159775.tif 000010
【図９】
2018159775.tif 000011
【図１０】
2018159775.tif 000012
【国際調査報告】
2018159775.tif 000013
2018159775.tif 000014